(57)【特許請求の範囲】
【請求項１】
電話回線を接続するための回線側接続端子と、
電話機を接続するための電話機側接続端子と、
前記電話機側接続端子を前記電話回線に繋げるために、前記電話機側接続端子と前記回線側接続端子とを接続するための接続線と、
リダイヤルのためのリダイヤル情報を記憶するリダイヤル情報記憶部と、
前記電話機側接続端子に接続された電話機から前記接続線に送信された電話番号を認識し、認識した電話番号を前記リダイヤル情報記憶部に記憶させる電話番号認識部と、
前記電話機のオフフックを検出するオフフック検出部と、
リダイヤルの指示操作が可能な操作部と、
前記オフフック検出部により前記電話機のオフフックが検出され、前記操作部を通じてユーザーからリダイヤルが指示されると、前記リダイヤル情報記憶部に記憶されている電話番号を前記電話回線に送信するリダイヤル実行部とを備え、
前記電話番号認識部が、前記電話機側接続端子に接続された電話機から前記接続線に送信された番号間のインターバル時間を認識し、認識したインターバル時間情報を前記リダイヤル情報記憶部に記憶させ、
前記リダイヤル実行部が、前記リダイヤル情報記憶部に記憶されている電話番号及びインターバル時間情報に基づいて、番号間の送信休止時間を設定し、
更に、前記リダイヤル実行部が、前記インターバル時間情報が示す前記番号間のインターバル時間が、予め定められた第１時間以下である場合、当該番号間の送信休止時間を予め定められた第１送信休止時間に設定し、
前記第１送信休止時間が、ミニマムポーズに準じた長さであり、
更に、前記リダイヤル実行部が、前記番号間のインターバル時間が前記第１時間よりも長く、前記第１時間よりも長い予め定められた第２時間以下である場合、当該番号間の送信休止時間を予め定められた第２送信休止時間に設定し、前記番号間のインターバル時間が前記第２時間よりも長い場合、当該番号間の送信休止時間を当該インターバル時間と同じ長さに設定し、
前記第２送信休止時間が、前記番号間へポーズを挿入するための適正な長さである通信装置。
【請求項２】
前記リダイヤル実行部が、前記番号間のインターバル時間が前記第２時間よりも長い場合に、当該番号間の送信休止時間を当該インターバル時間と同じ時間に設定するか否かを示すユーザーからの指示に基づき、当該指示が前記設定をしないことを示すときは、当該番号間の送信休止時間を前記第２送信休止時間に設定する請求項１に記載の通信装置。
【発明の詳細な説明】
【技術分野】
【０００１】
本発明は、通信装置に関し、特に、電話回線に接続されて使用される通信装置に関する。
【背景技術】
【０００２】
電話回線に接続されて使用される、ファクシミリ機能を有した通信装置には、電話回線に接続するためのポート（回線側接続端子）が設けられ、このポートは通信装置に内蔵されたＮＣＵ（Network Control Unit）等に接続されている。また、通信装置には、電話機を接続するためのポート（電話機側接続端子）が設けられ、電話回線をファクシミリとしてだけでなく、通話用として使用できるようになっているものもある。
【先行技術文献】
【特許文献】
【０００３】
【特許文献１】特開平６−１３３１４２号公報
【特許文献２】特開平６−２５２９９６号公報
【発明の概要】
【発明が解決しようとする課題】
【０００４】
相手先の通話中などにより通信データを送信できなかったり、通話ができなかったりした場合には、通信装置本体や電話機に装備されたリダイヤルキーを操作すれば便利である。また、ファクシミリ送信においてリダイヤルを自動的に繰り返し行う技術については、上記の特許文献１等に記載され、そして実用化されている。ところが、通信装置に接続される安価な電話機には、ダイヤルキーしか装備されず、リダイヤルキーが装備されていないものがある。そのため、直前にかけた電話番号であっても、最初からダイヤルキーを操作し直さなければならず、大変面倒であり、誤入力が生じる可能性もある。
【０００５】
また、特許文献２には、付属のハンドセットテンキーを操作することによる、キー入力や短縮ダイヤル機能等の方法により入力され発信された、過去から現在に至る複数件の電話番号とその発信履歴データを不揮発性メモリーに蓄積しておき、ハンドセットのリダイヤルキーまたは音量調節キーを押下操作することにより、不揮発性メモリーから読み出した電話番号と発信履歴データをハンドセットの電話番号表示部に順番に表示する技術が記載されている。この技術では、リダイヤルで呼び出した電話番号に電話をかける場合は、通話相手の電話番号が電話番号表示部に表示されている状態で発信キーを押し、これにより通常の発信動作を行わせる。このため、当該電話機によれば、多くの電話番号に対し、簡単なキー操作で発信が可能になるが、番号間のインターバルの長さについては何も考慮されていない。
【０００６】
本発明は、上記の事情に鑑みなされたものであり、電話機にリダイヤルキーが装備されていなくても、通話に対するリダイヤルを可能にするとともに、この電話機でインターバルがあった場合でも、適切にダイヤル間のポーズの時間の設定を可能にすることを目的とする。
【課題を解決するための手段】
【０００７】
本発明の一局面に係る通信装置は、電話回線を接続するための回線側接続端子と、
電話機を接続するための電話機側接続端子と、
前記電話機側接続端子を前記電話回線に繋げるために、前記電話機側接続端子と前記回線側接続端子とを接続するための接続線と、
リダイヤルのためのリダイヤル情報を記憶するリダイヤル情報記憶部と、
前記電話機側接続端子に接続された電話機から前記接続線に送信された電話番号を認識し、認識した電話番号を前記リダイヤル情報記憶部に記憶させる電話番号認識部と、
前記電話機のオフフックを検出するオフフック検出部と、
リダイヤルの指示操作が可能な操作部と、
前記オフフック検出部により前記電話機のオフフックが検出され、前記操作部を通じてユーザーからリダイヤルが指示されると、前記リダイヤル情報記憶部に記憶されている電話番号を前記電話回線に送信するリダイヤル実行部とを備え、
前記電話番号認識部が、前記電話機側接続端子に接続された電話機から前記接続線に送信された番号間のインターバル時間を認識し、認識したインターバル時間情報を前記リダイヤル情報記憶部に記憶させ、
前記リダイヤル実行部が、前記リダイヤル情報記憶部に記憶されている電話番号及びインターバル時間情報に基づいて、番号間の送信休止時間を設定する。
【発明の効果】
【０００８】
本発明によれば、電話機側接続端子に接続された電話機から接続線に送信された電話番号がリダイヤル情報記憶部に記憶され、電話機のオフフックが検出され、ユーザーからリダイヤルが指示されると、リダイヤル情報記憶部に記憶されているポーズを伴う電話番号が電話回線に送信される。従って、電話機にリダイヤルキーが装備されていなくても、通話に対するリダイヤルを行うことが可能になる。
【図面の簡単な説明】
【０００９】
【図１】本発明の第１実施形態に係る通信装置としての画像形成装置の主要内部構成を概略的に示した機能ブロック図である。
【図２】第１実施形態に係る通信装置としての画像形成装置のファクシミリ通信部及び制御ユニットの主要内部構成を概略的に示した機能ブロック図である。
【図３】制御ユニットにおける処理動作の一例を示したフローチャートである。
【図４】（Ａ）は、電話機のダイヤルキーを使って電話が掛けられた場合に、電話機から接続線に送信される信号の一例を示した図であり、（Ｂ）は、リダイヤル情報記憶部に記憶されるデータ構造の一例を示した図である。
【図５】（Ａ）は、電話機のダイヤルキーを使って電話が掛けられた場合に、電話機から接続線に送信される信号の一例を示した図であり、（Ｂ）は、リダイヤル情報記憶部に記憶されるデータ構造の一例を示した図である。
【図６】（Ａ）は、電話機のダイヤルキーを使って電話が掛けられた場合に、電話機から接続線に送信される信号の一例を示した図であり、（Ｂ）は、リダイヤル情報記憶部に記憶されるデータ構造の一例を示した図である。
【図７】制御ユニットにおける処理動作の一例を示したフローチャートである。
【図８】（Ａ）〜（Ｃ）は、ダイヤル情報の一例を示した図である。
【図９】（Ａ）〜（Ｃ）は、表示画面の一例を示した図である。
【図１０】表示画面の一例を示した図である。
【図１１】ダイヤル情報の一例を示した図である。
【発明を実施するための形態】
【００１０】
以下、本発明の一実施形態に係る通信装置について図面を参照して説明する。図１は、本発明の第１実施形態に係る通信装置としての画像形成装置の主要内部構成を概略的に示した機能ブロック図である。画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、操作部４７、ファクシミリ通信部７１、及びネットワークインターフェイス部９１を含んで構成されている。
【００１１】
原稿給送部６は、読取対象の原稿を原稿読取部５へ給送する。
【００１２】
原稿読取部５は、制御ユニット１０を構成する制御部１００による制御の下、光照射部及びＣＣＤ（Charge Coupled Device）センサー等を有する読取機構（図示せず）を備えており、原稿読取部５は、光照射部を使って原稿を照射し、その反射光をＣＣＤセンサーで受光することによって、原稿から画像を読み取る。
【００１３】
画像形成部１２は、印刷すべき画像のトナー像を用紙上に形成する。
【００１４】
画像メモリー３２は、原稿読取部５による読み取りで得られた原稿の画像データを一時的に記憶したり、画像形成部１２のプリント対象となるデータを一時的に保存したりするための領域である。
【００１５】
ＨＤＤ９２は、原稿読取部５によって読み取られた原稿画像等を記憶する大容量の記憶装置である。
【００１６】
定着部１３は、用紙上のトナー像を、熱圧着により用紙に定着させる。
【００１７】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１８】
ファクシミリ通信部７１は、図示しない符号化・複合化部、変復調部、及びＮＣＵ等を備え、公衆電話回線網を用いてのファクシミリの通信を行うものである。
【００１９】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター等の外部装置２０と種々のデータの送受信を行うものである。
【００２０】
制御ユニット１０は、ＣＰＵ（Central Processing Unit）、ＲＡＭ（Random Access Memory）、ＲＯＭ（Read Only Memory）、及び専用のハードウェア回路を含んで構成される。制御ユニット１０は、画像形成装置１の全体的な動作制御を司る制御部１００と、電話番号認識部１０１と、リダイヤル実行部１０２と、リダイヤル情報記憶部１０３と、を備えている。
【００２１】
制御ユニット１０は、ＨＤＤ９２にインストールされている制御プログラムに従った動作により、制御部１００、電話番号認識部１０１、リダイヤル実行部１０２、及びリダイヤル情報記憶部１０３として機能するものである。但し、制御部１００、電話番号認識部１０１、リダイヤル実行部１０２、及びリダイヤル情報記憶部１０３は、制御ユニット１０による制御プログラムに従った動作によらず、それぞれハードウェア回路により構成することも可能である。以下、特に触れない限り、各実施形態について同様である。
【００２２】
制御部１００は、原稿給送部６、画像読取部５、画像形成部１２、画像メモリー３２、ＨＤＤ９２、定着部１３、操作部４７、ファクシミリ通信部７１、及びネットワークインターフェイス部９１と接続され、これら各部の駆動制御を行う。なお、電話番号認識部１０１、リダイヤル実行部１０２、及びリダイヤル情報記憶部１０３については、図２を用いて後で詳しく説明する。
【００２３】
図２は、ファクシミリ通信部７１及び制御ユニット１０の主要内部構成を概略的に示した機能ブロック図である。なお、図１に示した画像形成装置１と同様の構成部分については同符号を付し、ここではその詳しい説明を省略する。
【００２４】
ファクシミリ通信部７１は、ＮＣＵ７２と、電話機８１のオフフックを検出するオフフック検出部７３とを備えている。また、ファクシミリ通信部７１には、交換機８０と繋げられている電話回線Ｌを接続するための回線側接続端子Ｐ１と、電話機８１を接続するための電話機側接続端子Ｐ２とが形成されている。回線側接続端子Ｐ１は接続線Ｗ１を介してＮＣＵ７２と接続され、電話機側接続端子Ｐ２は接続線Ｗ２を介して接続線Ｗ１（回線側接続端子Ｐ１）と接続されている。
【００２５】
操作部４７は、表示部４７３と、電話番号を入力するダイヤルキー４７４と、リダイヤルキー４７５とを備えている。
【００２６】
制御ユニット１０を構成するリダイヤル情報記憶部１０３は、通話に対するリダイヤルのためのリダイヤル情報を記憶する。
【００２７】
電話番号認識部１０１は、ファクシミリ通信部７１から送信されてくるデータに基づいて、電話機８１から接続線Ｗ２に送信された電話番号及び番号間のインターバル時間を認識し、認識した電話番号及びインターバル時間情報をリダイヤル情報記憶部１０３に記憶させる。
【００２８】
リダイヤル実行部１０２は、オフフック検出部７３により電話機８１のオフフックが検出され、リダイヤルキー４７５が操作される（ユーザーから操作部４７の操作によりリダイヤルが指示される）と、リダイヤル情報記憶部１０３に記憶されているリダイヤル情報に基づいて、リダイヤルを実行する。
【００２９】
次に、制御ユニット１０で行われる処理動作の一例について、図３に示したフローチャートに基づいて説明する。なお、この処理動作は、オフフック検出部７３により電話機８１のオフフックが検出された後、電話機８１から接続線Ｗ２へ信号が送信された（すなわち、電話機８１のダイヤルキーが操作された）と電話番号認識部１０１が判断した場合に行われる処理動作である。
【００３０】
電話番号認識部１０１は、電話機８１から接続線Ｗ２に送信された信号（番号）を認識し、認識した番号をリダイヤル情報記憶部１０３に記憶させ（Ｓ１）、電話番号認識部１０１は、番号間のインターバル時間（１つの番号が送信された時点から次の番号が送信された時点までの時間）の計測を開始する（Ｓ２）。
【００３１】
電話番号認識部１０１は、電話機８１から接続線Ｗ２に新たな信号（番号）が送信されたか否かを判断し（Ｓ３）、電話番号認識部１０１は、電話機８１から接続線Ｗ２に新たな信号（番号）が送信されたと判断すれば（Ｓ３でＹＥＳ）、電話番号認識部１０１は、番号間のインターバル時間情報をリダイヤル情報記憶部１０３に記憶させるとともに（Ｓ４）、電話番号認識部１０１は、電話機８１から接続線Ｗ２に送信された番号を認識し、認識した番号をリダイヤル情報記憶部１０３に記憶させる（Ｓ１）。
【００３２】
一方、電話番号認識部１０１は、電話機８１から接続線Ｗ２に新たな信号（番号）が送信されていないと判断すれば（Ｓ３でＮＯ）、電話番号認識部１０１は、オフフック検出部７３により電話機８１のオンフックが検出されたか否かを判断する（Ｓ５）。
【００３３】
電話番号認識部１０１は、電話機８１のオンフックが検出されたと判断すれば（Ｓ５でＹＥＳ）、この処理動作を終了する。一方、電話番号認識部１０１は、電話機８１のオンフックが検出されてないと判断すれば（Ｓ５でＮＯ）、Ｓ３へ戻る。これにより、電話番号認識部１０１は、電話機８１から接続線Ｗ２に送信された全ての信号（番号）及び各番号間のインターバル時間を全て認識してリダイヤル情報記憶部１０３に記憶させる。
【００３４】
図４（Ａ）〜図６（Ａ）は、電話機８１のダイヤルキーを使って電話が掛けられた場合に、電話機８１から接続線Ｗ２に送信される信号の一例を示した図であり、図４（Ｂ）〜図６（Ｂ）は、リダイヤル情報記憶部１０３に記憶されるデータ構造の一例を示した図である。
【００３５】
図４（Ａ）には、相手先の電話番号「１２３４５６７８９０」が送信されていること、そして各番号間のインターバル時間が示されている。図４（Ｂ）は、図４（Ａ）に示した信号が接続線Ｗ２に送信された場合に、リダイヤル情報記憶部１０３に記憶されるデータ構造を示している。
【００３６】
図５（Ａ）には、日本国内での国際電話の識別番号「０１０」、アメリカの国番号「１」、及び相手先の電話番号「１２３４５６７８９０」が送信されていること、そして各番号間のインターバル時間が示され、国番号と相手先の電話番号との間に比較的長いインターバル時間「４．２秒」が設けられていることが分かる。図５（Ｂ）は、図５（Ａ）に示した信号が接続線Ｗ２に送信された場合に、リダイヤル情報記憶部１０３に記憶されるデータ構造を示している。
【００３７】
海外への電話など、番号間にポーズ（３秒前後）の挿入が必要な場合、ユーザーは意図的に例えば３秒程度の時間を空けて次の番号を押す。そのため、ポーズの挿入が必要な場合のインターバル時間は、通常のインターバル時間よりも長く、両者には明らかな時間差があり、区別が可能である。
【００３８】
換言すれば、番号間のインターバル時間の長さから、当該番号間にポーズの挿入が必要であるか否かを判断することができる。例えば、図５（Ｂ）に示したリダイヤル情報記憶部１０３に記憶されているデータから、インターバル時間の長い４桁目の番号「１」と５桁目の番号「１」との間にポーズの挿入が必要であると判断することができる。
【００３９】
図６（Ａ）には、国際電話サービスを受けるためのアクセス番号「０９８７６５４３２１」、中国の国番号「８６」、及び相手先の電話番号「１２３４５６７８９０」が送信されていること、そして各番号間のインターバル時間が示され、アクセス番号と国番号との間に長いインターバル時間「１０．２秒」が設けられ、国番号と相手先の電話番号との間にも比較的長いインターバル時間「３．９秒」が設けられていることが分かる。図６（Ｂ）は、図６（Ａ）に示した信号が接続線Ｗ２に送信された場合に、リダイヤル情報記憶部１０３に記憶されるデータ構造を示している。
【００４０】
次に、制御ユニット１０で行われる処理動作の一例について、図７に示すフローチャートに基づいて説明する。なお、この処理動作は、オフフック検出部７３により電話機８１のオフフックが検出されたとリダイヤル実行部１０２が判断した場合に行われる処理動作である。
【００４１】
リダイヤル実行部１０２は、リダイヤル情報記憶部１０３に記憶されているリダイヤル情報を読み出し（Ｓ１１）、リダイヤル実行部１０２は、読み出したリダイヤル情報に含まれるインターバル時間情報に基づいて、各番号間の送信休止時間を設定し、電話回線Ｌに送信するダイヤル情報を作成する（Ｓ１２）。各番号間の送信休止時間の設定方法を、以下のケース１〜ケース３に分けて説明する。
【００４２】
《ケース１》番号間のインターバル時間が時間Ｔ１（例えば、２秒）以下である場合、ポーズの挿入が不要なので、リダイヤル実行部１０２は、当該番号間の送信休止時間を、ミニマムポーズに準じた送信休止時間ＴＰ１（例えば、３０ｍ秒）に設定する。ミニマムポーズは、番号間の送信休止時間の最小値である。番号間の送信休止時間が短すぎると、交換機８０が番号と番号との切れ目を判別できなくなるため、ミニマムポーズは端末設備等規則により３０ｍ秒に規定されている。
【００４３】
ユーザーがダイヤルした実際のインターバル時間をそのまま再現すると、全体のダイヤル時間が長くなり、ユーザーが不快に思うおそれがあるが、上記ケース１に示したように、番号間へのポーズの挿入が不要な場合には、当該番号間の送信休止時間がミニマムポーズに準じた長さに設定されるので、無駄にダイヤル時間が長くならないようにし、ユーザーが不快に思うのを防ぐことができる。
【００４４】
《ケース２》番号間のインターバル時間が時間Ｔ１より長く、時間Ｔ２（例えば、５秒）以下である場合、リダイヤル実行部１０２は、当該番号間の送信休止時間を、ポーズを挿入するための適正な送信休止時間ＴＰ２（例えば、３秒）に設定する。海外へ電話する場合など、番号間にポーズの挿入が必要なときに、それに対応することができる。
【００４５】
《ケース３》番号間のインターバル時間が時間Ｔ２よりも長い場合、リダイヤル実行部１０２は、当該番号間の送信休止時間を、当該インターバル時間と同じ長さに設定する。電話回線が開いた後、音声ガイダンスが流れ、対話形式で番号を送信する場合など、送信休止時間ＴＰ２よりも長い送信休止時間が必要なときに、それに対応することができる。
【００４６】
図８（Ａ）〜（Ｃ）は、作成されるダイヤル情報の一例を示しており、図４（Ｂ）、図５（Ｂ）、図６（Ｂ）に示したリダイヤル情報がリダイヤル情報記憶部１０３に記憶されている場合に作成されるダイヤル情報である。
【００４７】
図４（Ｂ）に示したリダイヤル情報がリダイヤル情報記憶部１０３に記憶されている場合、番号間のインターバル時間はすべて時間Ｔ１以下であるので、番号間の送信休止時間はすべて送信休止時間ＴＰ１に設定され、図８（Ａ）に示したようなダイヤル情報が作成される。
【００４８】
また、図５（Ｂ）に示したリダイヤル情報がリダイヤル情報記憶部１０３に記憶されている場合、４桁目の番号「１」と５桁目の番号「１」との番号間のインターバル時間が時間Ｔ１よりも長く、時間Ｔ２以下であるので、当該番号間の送信休止時間が送信休止時間ＴＰ２に設定され、その他の番号間の送信休止時間は送信休止時間ＴＰ１に設定され、図８（Ｂ）に示したようなダイヤル情報が作成される。
【００４９】
また、図６（Ｂ）に示したリダイヤル情報がリダイヤル情報記憶部１０３に記憶されている場合、１０桁目の番号「１」と１１桁目の番号「８」との番号間のインターバル時間が時間Ｔ２よりも長いので、当該番号間の送信休止時間は当該インターバル時間と同じ長さに設定され、１２桁目の番号「６」と１３桁目の番号「１」との番号間のインターバル時間が時間Ｔ１よりも長く、時間Ｔ２以下であるので、当該番号間の送信休止時間は送信休止時間ＴＰ２に設定され、その他の番号間の送信休止時間は送信休止時間Ｔ１に設定され、図８（Ｃ）に示したようなダイヤル情報が作成される。
【００５０】
リダイヤル実行部１０２は、ダイヤル情報を作成した後、作成したダイヤル情報を表示部４７３に表示する（Ｓ１３）。例えば、図８（Ａ）に示したようなダイヤル情報が作成された場合には、図９（Ａ）に示したようなダイヤル情報「１２３４５６７８９０」をリダイヤル実行部１０２が表示部４７３に表示させる。これにより、ユーザーはリダイヤル番号を確認することができる。
【００５１】
また、図８（Ｂ）に示したようなダイヤル情報が作成された場合には、図９（Ｂ）に示したような、４桁目の番号「１」と５桁目の番号「１」との間にポーズ時間を示す符号「Ｐ」が挿入されたダイヤル情報「０１０１Ｐ１２３４５６７８９０」をリダイヤル実行部１０２が表示部４７３に表示させる。
【００５２】
また、図８（Ｃ）に示したようなダイヤル情報が作成された場合には、図９（Ｃ）に示したような、１０桁目の番号「１」と１１桁目の番号「８」との間に長いポーズ時間を示す符号「＊」が挿入され、１２桁目の番号「６」と１３桁目の番号「１」との間に、ポーズ時間を示す符号「Ｐ」が挿入されたダイヤル情報「０９８７６５４３２１＊８６Ｐ１２３４５６７８９０」をリダイヤル実行部１０２が表示部４７３に表示させる。
【００５３】
リダイヤル実行部１０２は、ダイヤル情報を表示部４７３に表示させた後、操作部４７に設けられたリダイヤルキー４７５が操作されたか否かを判断し（Ｓ１４）、リダイヤル実行部１０２が、リダイヤルキー４７５が操作され、電話機８１を用いた通話によるリダイヤルがユーザーから指示されたと判断すれば（Ｓ１４でＹＥＳ）、作成したダイヤル情報に基づいて、ＮＣＵ７２を介して、電話番号を接続線Ｗ１（電話回線Ｌ）に送信する（Ｓ１５）。例えば、図８（Ａ）に示したようなダイヤル情報が作成された場合には、番号間に送信休止時間３０ｍ秒を設けて、１０桁の電話番号「１２３４５６７８９０」を送信する。
【００５４】
一方、リダイヤル実行部１０２が、リダイヤルキー４７５が操作されていないと判断すれば（Ｓ１４でＮＯ）、リダイヤル実行部１０２が、電話機８１のダイヤルキーが操作されたか否かを判断する（Ｓ１６）。
【００５５】
リダイヤル実行部１０２が、電話機８１のダイヤルキーが操作されたと判断すれば（Ｓ１６でＹＥＳ）、リダイヤル実行部１０２は、ダイヤル情報を表示部４７３から消去し（Ｓ１７）、その後、この処理動作を終了する。一方、リダイヤル実行部１０２が、電話機８１のダイヤルキーが操作されてないと判断すれば（Ｓ１６でＮＯ）、Ｓ１４へ戻る。
【００５６】
上記実施形態によれば、電話機側接続端子Ｐ２に接続された電話機８１から接続線Ｗ２に送信された電話番号がリダイヤル情報記憶部１０３に記憶され、電話機８１のオフフックが検出され、ユーザーからリダイヤルが指示されると、リダイヤル情報記憶部１０３に記憶されている電話番号が電話回線Ｌに送信される。従って、電話機８１にリダイヤルキーが形成されていなくても、通話に対するリダイヤルを実現することができる。
【００５７】
なお、上記実施形態では、インターバル時間情報に基づいて、各番号間の送信休止時間を設定する場合について説明しているが、別の実施形態では、実際のインターバル時間をそのまま再現しても良い。その場合、全体のダイヤル時間が長くなるが、制御ユニット１０における処理を単純化させることができ、製品化が容易になる。
【００５８】
また、さらに別の実施形態では、番号間のインターバル時間が時間Ｔ２よりも長いものが存在し、例えばリダイヤル情報記憶部１０３に記憶されているリダイヤル情報が図６（Ｂ）に示したようなものである場合、リダイヤル実行部１０２が、当該番号間の送信休止時間を当該インターバル時間と同じ時間に設定するか否かの確認をユーザーに求めるメッセージを表示部４７３に表示させ、ユーザーから操作部４７に、当該設定を求めていないことを示す指示が入力されたと判断したときは、当該番号間の送信休止時間を、当該インターバル時間と同じ時間に設定するのではなく、送信休止時間ＴＰ２に設定するようにしても良い。
【００５９】
例えば、リダイヤル実行部１０２が、図１０に示したような選択ボタンＢ１が形成された表示画面を表示部４７３に表示させ、当該番号間の送信休止時間を、当該インターバル時間と同じ時間ではなく、送信休止時間ＴＰ２に設定するか否かの確認をユーザーに求める。リダイヤル実行部１０２は、選択ボタンＢ１が押下されたと判断すると、当該番号間の送信休止時間を送信休止時間Ｔ２に設定する。音声ガイダンスが流れる対話形式のものであったとしても、例えば３秒程度のポーズを設ければ十分な場合があり、それに対応可能となる。図１１は、この場合に作成されるダイヤル情報を示した図であり、図８（Ｃ）とは、１０桁目の番号「１」と１１桁目の番号「８」との送信休止時間が「３秒」である点で相違している。
【００６０】
本発明は上記実施の形態の構成に限られず種々の変形が可能である。また、上記実施形態では、本発明に係る通信装置の一実施形態として画像形成装置の複合機を用いて説明しているが、これは一例に過ぎず、他の電子機器、例えば、ファクシミリ機能を有した他の画像形成装置でもよい。
【００６１】
また、上記実施形態では、図１乃至図１１を用いて上記実施形態により示した構成及び処理は、本発明の一実施形態に過ぎず、本発明を当該構成及び処理に限定する趣旨ではない。
【符号の説明】
【００６２】
１          画像形成装置
１０        制御ユニット
４７        操作部
７１        ファクシミリ通信部
７３        オフフック検出部
８１        電話機
１００      制御部
１０１      電話番号認識部
１０２      リダイヤル実行部
１０３      リダイヤル情報記憶部
Ｌ          電話回線
Ｐ１        回線側接続端子
Ｐ２        電話機側接続端子
Ｗ１，Ｗ２  接続線
【図１】
0006409738.tif 000002
【図２】
0006409738.tif 000003
【図３】
0006409738.tif 000004
【図４】
0006409738.tif 000005
【図５】
0006409738.tif 000006
【図６】
0006409738.tif 000007
【図７】
0006409738.tif 000008
【図８】
0006409738.tif 000009
【図９】
0006409738.tif 000010
【図１０】
0006409738.tif 000011
【図１１】
0006409738.tif 000012